(57)【特許請求の範囲】
【請求項１】
ＩＣモジュールと、少なくとも二つの電極を備える静電結合型ＲＦ−ＩＤを検査対象とし、当該二つの電極と対向させる検査システム側の少なくとも二つの対向電極を介して通信を行い、当該検査対象の良否を検査する静電結合型ＲＦ−ＩＤの検査方法であって、
予め、前記検査システム側の二つの対向電極を、前記検査対象が検査位置に位置されたときに所定距離離隔させて配置させ、当該二つの対向電極のうちの一方の電極を回路的接地させるステップと、
前記検査対象が検査位置に位置されたときに、当該検査対象の二つの電極のうちの一方の電極を回路的接地させるステップと、
前記検査システム側の回路的接地させていない対向電極を介して前記検査対象の回路接地させていない電極と静電結合させて所定のデータを送信するステップと、
前記検査対象側で、前記回路的接地させていない電極を介して前記検査システム側と静電結合させ、当該検査システム側より受信した所定のデータに応じて所定のデータを前記回路的接地させていない電極を介して当該検査システム側に送信させるステップと、
前記検査システム側で、前記検査対象側より送られてきた所定のデータに基づいて当該検査対象の良否を判定するステップとを含み、
前記所定距離は、前記検査システム側の前記一方の対向電極と、当該検査対象の前記一方の電極を、回路的接地させない場合における前記検査システムと当該検査対象の通信可能範囲より大であることを特徴とする静電結合型ＲＦ−ＩＤの検査方法。
【請求項２】
請求項１記載の静電結合型ＲＦ−ＩＤの検査方法であって、前記検査対象が検査位置に搬送され、当該検査対象が検査位置に位置されたことを検出し、当該位置検出後に前記検査システム側と当該検査対象側とを静電結合により通信状態とさせることを特徴とする静電結合型ＲＦ−ＩＤの検査方法。
【請求項３】
ＩＣモジュールと、少なくとも二つの電極を備える静電結合型ＲＦ−ＩＤを検査対象として通信を行い、当該検査対象の良否を検査する静電結合型ＲＦ−ＩＤの検査システムであって、
前記検査対象を検査位置に搬送する搬送手段と、
前記検査対象が検査位置に位置されたときに、当該検査対象の二つの電極のうちの一方の電極を回路的に接地させる短絡手段と、
検査システム側で、前記検査対象の二つの電極と対向されるもので、当該検査対象が検査位置に位置されたときに所定距離離隔させて配置され、一方が回路的に接地される少なくとも二つの対向電極と、
前記検査システム側の対向電極を介して前記検査対象の回路的に接地されていない電極と静電結合させて、回路的に接地されていない対向電極を介して所定のデータを送信し、当該検査対象側の前記回路的に接地されていない電極からの応答に基づいて当該検査対象の良否を判定する検査処理手段とを有し、
前記所定距離は、前記検査システム側の前記一方の対向電極と、当該検査対象の前記一方の電極を、回路的に接地させない場合の、前記検査システムと当該検査対象の通信可能範囲より大であることを特徴とする静電結合型ＲＦ−ＩＤの検査システム。
【請求項４】
請求項３記載の静電結合型ＲＦ−ＩＤの検査システムであって、前記短絡手段は、前記検査対象が検査位置に位置されたときに前記一方の電極と当接されるもので、回路的接地された導電性のブラシであることを特徴とする静電結合型ＲＦ−ＩＤの検査システム。
【請求項５】
請求項３または４記載の静電結合型ＲＦ−ＩＤの検査システムであって、前記検査対象が前記搬送手段により搬送されて検査位置に位置されたことを検出する検出手段を備えることを特徴とする静電結合型ＲＦ−ＩＤの検査システム。
【発明の詳細な説明】
【０００１】
【発明の属する技術分野】
本発明は、製造される静電結合型ＲＦ−ＩＤの良否を検査する検査方法および検査システムに関する。
【０００２】
【従来の技術】
近年、ＲＦ−ＩＤ（Ｒａｄｉｏ  Ｆｒｅｑｕｅｎｃｙ  Ｉｄｅｎｔｉｆｉｃａｔｉｏｎ）と称される非接触型識別媒体（非接触型ＩＣカード等）に関する技術が急速に進歩してきており、その使用も多岐にわたっている。このようなＲＦ−ＩＤには、電磁結合型と静電結合型に大別され、特に静電結合型のＲＦ−ＩＤの検査品質の向上、検査効率の向上が望まれている。
【０００３】
従来、ＲＦ−ＩＤのうち、静電結合型のものは、基材上に４個または２個の電極が形成され、これら電極にＩＣモジュールが接続されたものが一般的となっている。このような静電結合型ＲＦ−ＩＤは、非接触型ＩＣカードはもちろん、非接触型のラベル、タグ等の非接触で識別情報等のデータ送受が行える媒体として使用されている。そして、上記のような静電結合型ＲＦ−ＩＤにおける動作原理は既に公知のものであり、製造時の検査においても上記動作原理に基づいた使用形態と同様のデータ送受により行われている。
【０００４】
すなわち、検査対象の静電結合型ＲＦ−ＩＤと同様の電極を備えたリーダ・ライタと基本的な構成を同じとする検査システムにおいて、互いの電極を対向させ、システム側の電極にデータを所定の方式で変調処理した交番電界を印加することで検査対象側の対向する電極と静電結合されることによりデータを送信し、一方で検査対象側からの変調処理されたデータの交番電界を静電結合により受信して復調することにより当該検査対象が間違いなく動作していることを確認するものである。
【０００５】
【発明が解決しようとする課題】
しかしながら、上記のような静電結合型ＲＦ−ＩＤの通信検査を検査効率の観点から連続させて行う場合、検査対象の間隔を短くすると当該静電結合型ＲＦ−ＩＤの通信距離の範囲内で当該検査対象と隣接された静電結合型ＲＦ−ＩＤとも通信可能となってその応答が混在して受信されることとなり、検査対象が本来不良品であるにも拘わらず、良品と判定されたり、あるいは、良品を不良品と判定されるなど、検査品質の低下を招く。このことは検査対象が製造段階上の連続した形態であると、連続形態から単葉形態とされたものであると同様のことが言える。そのため、検査対象と隣接する静電結合型ＲＦ−ＩＤを通信可能距離以上とさせて間隔を長く設定すると検査効率が低下するという問題を生じる。また、検査だけのためにＲＦ−ＩＤの電極等のレイアウトを変更することは無駄な部分を生じさせることとなる。
【０００６】
そこで、本発明は上記課題に鑑みなされたもので、検査対象の静電結合型ＲＦ−ＩＤを短い間隔で連続的に検査可能として検査品質の向上、検査効率の向上を図るＲＦ−ＩＤの検査方法および検査システムを提供することを目的とする。
【０００７】
【課題を解決するための手段】
上記課題を解決するために、請求項１の発明では、ＩＣモジュールと、少なくとも二つの電極を備える静電結合型ＲＦ−ＩＤを検査対象とし、当該二つの電極と対向させる検査システム側の少なくとも二つの対向電極を介して通信を行い、当該検査対象の良否を検査する静電結合型ＲＦ−ＩＤの検査方法であって、予め、前記検査システム側の二つの対向電極を、前記検査対象が検査位置に位置されたときに所定距離離隔させて配置させ、当該二つの対向電極のうちの一方の電極を回路的接地させるステップと、前記検査対象が検査位置に位置されたときに、当該検査対象の二つの電極のうちの一方の電極を回路的接地させるステップと、前記検査システム側の回路的接地させていない対向電極を介して前記検査対象の回路接地させていない電極と静電結合させて所定のデータを送信するステップと、前記検査対象側で、前記回路的接地させていない電極を介して前記検査システム側と静電結合させ、当該検査システム側より受信した所定のデータに応じて所定のデータを前記回路的接地させていない電極を介して当該検査システム側に送信させるステップと、前記検査システム側で、前記検査対象側より送られてきた所定のデータに基づいて当該検査対象の良否を判定するステップとを含み、前記所定距離は、前記検査システム側の前記一方の対向電極と、当該検査対象の前記一方の電極を、回路的接地させない場合における前記検査システムと当該検査対象の通信可能範囲より大である構成とする。
【０００８】
請求項２の発明では、前記検査対象が検査位置に搬送され、当該検査対象が検査位置に位置されたことを検出し、当該位置検出後に前記検査システム側と当該検査対象側とを静電結合により通信状態とさせる構成である。
【０００９】
請求項３の発明では、ＩＣモジュールと、少なくとも二つの電極を備える静電結合型ＲＦ−ＩＤを検査対象として通信を行い、当該検査対象の良否を検査する静電結合型ＲＦ−ＩＤの検査システムであって、前記検査対象を検査位置に搬送する搬送手段と、前記検査対象が検査位置に位置されたときに、当該検査対象の二つの電極のうちの一方の電極を回路的に接地させる短絡手段と、検査システム側で、前記検査対象の二つの電極と対向されるもので、当該検査対象が検査位置に位置されたときに所定距離離隔させて配置され、一方が回路的に接地される少なくとも二つの対向電極と、前記検査システム側の対向電極を介して前記検査対象の回路的に接地されていない電極と静電結合させて、回路的に接地されていない対向電極を介して所定のデータを送信し、当該検査対象側の前記回路的に接地されていない電極からの応答に基づいて当該検査対象の良否を判定する検査処理手段とを有し、前記所定距離は、前記検査システム側の前記一方の対向電極と、当該検査対象の前記一方の電極を、回路的に接地させない場合の、前記検査システムと当該検査対象の通信可能範囲より大である構成とする。
【００１０】
請求項４および５の発明では、「前記短絡手段は、前記検査対象が検査位置に位置されたときに前記一方の電極と当接されるもので、回路的接地された導電性のブラシである」構成であり、
「前記検査対象が前記搬送手段により搬送されて検査位置に位置されたことを検出する検出手段を備える」構成である。
【００１１】
このように、検査対象の静電結合型ＲＦ−ＩＤの備える二つの電極のうちの一方の電極を回路的接地させると共に、検査対象の電極と対向し、当該検査対象と所定距離離隔した位置に配置される検査システム側の二つの対向電極のうちの一方の電極を回路的接地させ、検査システム側の回路的接地させていない対向電極を介して検査対象の回路接地させていない電極と静電結合させて通信を行うことで検査対象の良否を判定させる。すなわち、通信時には互いの一方の電極を接地させることで接地間で閉回路が形成され、このとき接地インピーダンス（接地抵抗および接地キャパシタンス）が通信空間のインピーダンスより遙かに小さいことから検査対象または検査システム側の通信電極間には接地電流が加算された電流で増加することになり、通信距離が長くなるものである。したがって、検査対象の通常の通信可能距離より離隔した位置に当該検査システム側の電極を配置することで、隣接した静電結合型ＲＦ−ＩＤとは通信不能状態とさせることが可能となる。このことによって、検査対象を短い間隔で連続的に検査可能とし、検査品質の向上、検査効率の向上を図ることが可能となるものである。
【００１２】
【発明の実施の形態】
以下、本発明の好ましい実施形態を図により説明する。ここで、本発明に係る静電結合型ＲＦ−ＩＤは、前述と同様に、非接触型ＩＣカードはもちろん、非接触型のラベル、タグ等の非接触で識別情報等のデータ送受が行える媒体である。また、本実施形態では、製造された静電結合型ＲＦ−ＩＤを単葉形態とした後の検査を対象として示しているが、単葉とする以前の連続した形態であっても適用することができるものである。さらに、検査対象の静電結合型ＲＦ−ＩＤが備える電極を二つとし、検査システム側の対向電極を二つとした場合を示すが、互いに、送信用で二つの電極および受信用で二つの電極とする合計四つの電極をそれぞれ対向させて、送信、受信をそれぞれ別の二つの電極で通信を行うものとしてもよい。
【００１３】
図１に、本発明に係る静電結合型ＲＦ−ＩＤの検査システムの概念構成図を示す。図１において、静電結合型ＲＦ−ＩＤの検査システム１１は、二つの対向電極１２，１３、電源１４、検査処理手段１５を少なくとも備え、適宜表示手段１６を備える。また、検査対象の静電結合型ＲＦ−ＩＤ２１は、二つの電極２２，２３および後述のＩＣモジュールを備える。
【００１４】
上記対向電極１２，１３は、検査対象２１が検査位置に位置されたときにその二つの電極２２，２３と対向されるもので、当該検査対象が検査位置に位置されたときに当該検査対象の通信可能距離より離隔されて配置され、一方（ここでは、対向電極１３）が回路的に電源１４のＧＮＤ（グランド）に接地される。同様に、検査対象の静電結合型ＲＦ−ＩＤ２１が検査位置に位置されて電極２２，２３が上記対向電極１２，１３とされたときに、一方（ここでは電極２３）が回路的に電源１４のＧＮＤと同電位で接地される。また、電源１４は、本システム１１における検査処理手段１５を含む総ての回路モジュールを動作させるためのレギュレータであり、図示しない電力供給源の電源とは別構成であるが、接地電位を共通とする。
【００１５】
また、検査処理手段１５は、対向電極１２，１３を介して検査対象２１と静電結合させて、所定のデータを送信し、当該検査対象２１側からの応答に基づいて当該検査対象２１の良否を判定する（詳細は後述する）。そして、表示手段１６は、所定数の検査対象である静電結合型ＲＦ−ＩＤ２１の検査結果を少なくとも表示するためのものである。なお、本システム１１は、後述の図３および図４に示すように、搬送手段および検出部を備え、検査対象の静電結合型ＲＦ−ＩＤ２１を検査位置まで搬送する。
【００１６】
ここで、図２に、本発明に係る静電結合型ＲＦ−ＩＤの検査システムの原理説明図を示す。検査対象の静電結合型ＲＦ−ＩＤ２１が検査位置に位置されたときに、電極２２，２３と検査システム側の対向電極１２，１３が対向し、このときに対向電極１３は接地結合抵抗ＲZを介して接地されており、検査対象２１側の電極２３が接地される。そこで、検査システム側で送信データが重畳された交番電界発信源ＥVよりの交番電界が対向電極１２より検査対象２１の電極２２に発せられて静電結合される。
【００１７】
このとき、交番電界発信源ＥV、対向空間のキャパシタンスＣS、結合抵抗ＲC、接地抵抗ＲG、接地キャパシタンスＣGの閉回路と、交番電界発信源ＥV、キャパシタンスＣS、キャパシタンスＣZ、接地結合抵抗ＲZの閉回路との並列回路が形成される。この場合、接地インピーダンス（接地抵抗ＲG、接地キャパシタンスＣG）は、対向空間のインピーダンス（キャパシタンスＣS、キャパシタンスＣZ）に比べて極めて小さいことから、対向電極１２および電極２２間には電流（ＩZ＋ＩG）が流れることになり、各電極１３，２３を接地しない場合に比べて当該検査対象２１の接地間電位ＥGに対応する電流ＩGが増加したことになる。このことは、電極２２に励起される電圧が高くなることを意味する。
【００１８】
したがって、電極２２に励起される電圧が高くなった分だけ検査システム１１と検査対象２１とを離隔させても通信可能となる。換言すれば、通信可能範囲まで離隔させることで、検査対象２１と隣接するＲＦ−ＩＤと本システム１１との通信が不能となり、検査対象２１だけを特定することができることになる。すなわち、検査対象２１に対して、検査システム１１側の電極２２，２３を離隔させる範囲は、上記検査対象２１との通信可能な範囲であって、各電極１３，２３を接地させない場合の当該検査対象２１の通信可能範囲より大である。このように、検査対象２１を確実に特定することができることから、検査対象２１を短い間隔で連続的に検査可能とし、検査品質の向上、検査効率の向上を図ることができるものである。
【００１９】
なお、図２は、検査システム１１側より検査対象２１にデータを送信する場合を示したが、検査対象２１側より検査システム１１側にデータを送信する場合も同様である。
【００２０】
次に、図３に、本発明に係る静電結合型ＲＦ−ＩＤの検査システムの概略構成図を示す。図３において、検査システム１１は、搬送手段である搬送ベルト３１上に連続して静電結合型ＲＦ−ＩＤ２１が供給され、検査位置に位置されたときに検査対象２１となる。検査対象２１（静電結合型ＲＦ−ＩＤ）は、例えば単葉のＩＣカード形態で形成され、二つの電極２２，２３間にＩＣモジュール２４が接続状態で搭載されたものである。
【００２１】
検査対象２１の検査位置とされる部分の上方には、検出部３２が配置されると共に、当該検査対象２１の一方に電極２３と当接する短絡手段である導電性のブラシ３３が配置される。また、検査位置の下方には、対向電極１２，１３が、上記のように検査対象２１の電極２２，２３に対して、各電極１３，２３を接地させない場合の当該検査対象２１の通信可能範囲より大であって、当該検査対象２１との通信可能範囲で離隔して配置される。この場合の対向電極１３は、図１に示すように接地され、ブラシ３３も接地される。なお、短絡手段として、ブラシ３３に限らず導電性部材であれば何れでもよく、当接させる手段で当該導電性部材を上下動させるなどの駆動を行わせてもよい。
【００２２】
上記検出部３２は、搬送されてきた検査対象２１が検査位置であることを検出させるもので、位置検出後に検査システム１１側と当該検査対象２１側とを静電結合により通信状態とさせるためのものである。当該検出部３２としては、例えば、光センサが使用される。また、カード形態の検査対象２１にバーコードを形成させ、当該検出部３２をバーコードリーダとして当該バーコードを読み込ませることで、位置検出と適宜固有別に作製する場合として対象の識別とを行わせることもできる。さらに、例えばエンボス加工により識別符号等を形成させた場合に、検出部３２を撮像カメラとして画像認識により識別させることも可能である。
【００２３】
続いて、図４に本発明に係る検査システムのブロック構成図を示すと共に、図５に図４の検査処理部の一例のブロック構成図を示す。図４において、本発明に係る静電結合型ＲＦ−ＩＤ２１の検査システム１１は、搬送手段（搬送ベルト）３１上で短い間隔で連続的に搬送される各静電結合型ＲＦ−ＩＤにおける検査対象２１に対し、上述の検査処理手段１５、搬送駆動部３１Ａおよび検出部３２を含んで構成されるもので、他の構成は都度説明する。
【００２４】
上記検査対象２１は、静電結合型ＲＦ−ＩＤとして、処理部４１、メモリ４２および復調部４３で構成されるＩＣモジュール２４と、二つの電極２２，２３により構成される。電極２３は検査位置で接地されるもので、電極２２は、検査システム１１からの信号を受信し、または当該検査対象２１より検査システム１１（システム側対向電極２２，２３）にデータを送信する役割をなす。
【００２５】
上記ＩＣモジュール２４において、メモリ４２は当該カードとしての種々の情報を記憶するためのものである。上記復調部４３は、電極２２により静電結合で受信した交番電界から制御信号、データを復調し、適宜コード変換する。そして、処理部４１は、プログラムにより、受信した制御信号、データをメモリ４２に記憶させ、またメモリ４２に記憶したデータを送信する処理を行う。
【００２６】
検査システム１１側において、搬送駆動部３１Ａは、該当の検査対象２１を連続的に検査位置に搬送移動させるためのもので、後述の搬送駆動制御部よりＩＦ（インタフェース）部を介して搬送ベルト３１を駆動する。また、検出部３２は、上述のように、搬送される検査対象２１を検出して検査位置を特定する。
【００２７】
上記検査処理手段１５は、検査対象２１の良否判定を行う処理部を構成するものとして、制御部５１、検査処理部５２、データメモリ５３を備え、電力増幅部５４、変調部５５、発信部５６、受信部５７およびデータ変換部５８を備える。また、検査システム１１の他の構成として搬送駆動制御部５９、ＩＦ部７０および表示手段１６を備える。
【００２８】
上記制御部５１は、この検査処理手段１５の全体を統括制御するもので、これに応じたプログラムがセットされている。上記検査処理部５２は、詳細は図５で説明するが、プログラムによる検査ルーチンで検査対象２１に対する検査処理、判定を行うものある。上記データメモリ５３は、種々のデータを記憶すると共に、適宜検査判定のための一時記憶領域（バッファであって、検査処理部５２に備えさせてもよい）としての役割をもなす。上記種々のデータには、例えば、検査対象２１毎のメモリ４２に記憶させるための情報（例えば識別情報）や、検査のための種々の設定値等がある。
【００２９】
上記データ変換部５８は、検査対象２１に対して情報を送信する場合の情報を例えば「１」、「０」に変換し、また当該検査対象２１からの送信データを例えば「１」、「０」に変換する。上記変調部５５は、発信部５６からの所定周波数（例えば８４７ＫＨｚ、４２４ＫＨｚ、２１２ＫＨｚ、１２５ＫＨｚ等）の発信出力に基づいて上記データ変換部５８で変換された情報を例えばＰＳＫ（位相偏位変調）変調波に変調する。上記電力増幅部５４は、変調部５５で変調された変調波を電力増幅するもので、この増幅された変調波が対向電極２２より交番電界で送信されるものである。そして、受信部５７は、対向電極１２，１３で受信した検査対象２１からの送信データを受信して復調する。
【００３０】
一方、上記搬送駆動制御部５９は、検査対象２１を順次検査するために搬送する上述の搬送駆動部３１Ａを駆動させるための制御信号を制御部５１からの指令に基づき生成してＩＦ部６０を介して当該搬送駆動部３１Ａに送出する。
【００３１】
ここで、図５において、検査処理部５２は、プログラム処理の機能として、処理手段６１、受信データ取得手段６２、送信データ取得手段６３、判定手段６４を備える。上記処理手段６１は、当該検査処理部５２全体の処理を統括する。上記受信データ取得手段６２は、検査対象２１から送信されてくるデータが受信されたときに取得するもので、適宜データメモリ５３に記憶させる（当該受信データ取得手段６２がバッファを備える場合にはバッファに一時格納してもよい）。
【００３２】
上記送信データ取得手段６３は、検査対象２１に通信によりメモリ４２に書き込ませる識別情報等をデータメモリ５３より読み出して取得する。そして、判定手段６４は、上記取得されて送信された送信データと、検査対象２１より送信されてきた受信データとを比較し、一致していれば良品と判定し、不一致のときには不良品と判定するもので、送信データが検査対象２１のメモリ４２に実際に書き込まれたか否かをデータ比較による通信状態の良否としてとらえたものである。
【００３３】
次に、図６に、図４および図５の検査システムにおける検査処理のフローチャートを示す。図６において、まず、制御部５１からの指令に基づき搬送駆動制御部５９より搬送量がＩＦ部６０を介して搬送駆動部３１Ａに送出されて搬送ベルト３１が駆動され、当該搬送ベルト３１上に短い間隔で連続的に静電結合型ＲＦ−ＩＤが供給されて順次搬送される（ステップ（Ｓ）１）。搬送ベルト３１上で、検出部３２により検査対象２１を検出したときに、当該検査対象２１の一方の電極２３上でブラシ３３が当接して接地させる（Ｓ２）。
【００３４】
そこで、検査対象用の送信データ（識別情報）をデータメモリ５３より取得して検査対象２１に対して静電結合させて送信し（Ｓ３）、メモリ４２に記憶させる。当該検査対象２１側では、電極２２，２３を介して検査システム１１側と静電結合させ、当該検査システム１１側より受信してメモリ４２に記憶させた所定のデータを当該検査システム１１側に送信するもので、検査システム１１側において、当該検査対象２１からの返信データを受信して復調し、上記のように判定手段６４が送信データと受信データとのマッチングを行う（Ｓ４）。マッチングの結果において（Ｓ５）、一致したときには良品と判定し（Ｓ６）、不一致のときには不良品と判定し（Ｓ７）、これらの判定結果をデータメモリ６３に記憶させる（Ｓ８）。
【００３５】
続いて、次の検査対象２１が検出部３２により検出された場合には、Ｓ２〜Ｓ８を繰り返して判定結果をデータメモリ５３に記憶させる（Ｓ９）。そして、総ての検査対象２１の良否がデータメモリ６３に記憶されたときに、検査結果を適宜表示部１６に表示させるものである（Ｓ１０）。なお、検査結果の表示を、検査対象２１毎、または所定数の検査対象２１の検査結果毎に行ってもよい。
【００３６】
このように、検査対象２１の通常の通信可能距離より離隔した位置に当該検査システム１１側の対向電極２２，２３を配置することで、隣接した静電結合型ＲＦ−ＩＤとは通信不能状態とさせることが可能となり、検査対象２１を短い間隔で連続的に検査可能させることによって、検査品質の向上、検査効率の向上を図ることができるものである。
【００３７】
【発明の効果】
以上のように、本発明によれば、検査対象の静電結合型ＲＦ−ＩＤの備える二つの電極のうちの一方の電極を回路的接地させると共に、検査対象の電極と対向し、当該検査対象と所定距離離隔した位置に配置される検査システム側の二つの対向電極のうちの一方の電極を回路的接地させ、検査システム側の回路的接地させていない対向電極を介して検査対象の回路接地させていない電極と静電結合させて通信を行うことで検査対象の良否を判定させることにより、検査対象と隣接した静電結合型ＲＦ−ＩＤとは通信不能状態とさせて検査対象を短い間隔で連続的に検査可能とし、検査品質の向上、検査効率の向上を図ることができるものである。
【図面の簡単な説明】
【図１】本発明に係る静電結合型ＲＦ−ＩＤの検査システムの概念構成図である。
【図２】本発明に係る静電結合型ＲＦ−ＩＤの検査システムの原理説明図である。
【図３】本発明に係る静電結合型ＲＦ−ＩＤの検査システムの概略構成図である。
【図４】本発明に係る検査システムのブロック構成図である。
【図５】図４の検査処理部の一例のブロック構成図である。
【図６】図４および図５の検査システムにおける検査処理のフローチャートである。
【符号の説明】
１１              静電結合型ＲＦ−ＩＤ検査システム
１２，１３        対向電極
１４              電源
１５              検査処理手段
１６              表示手段
２１              静電結合型ＲＦ−ＩＤ
２２，２３        電極
２４              ＩＣモジュール
３１              搬送手段（搬送ベルト）
３２              検出部
３３              ブラシ
【図１】
0004671560.tif 000002
【図２】
0004671560.tif 000003
【図３】
0004671560.tif 000004
【図４】
0004671560.tif 000005
【図５】
0004671560.tif 000006
【図６】
0004671560.tif 000007